(57)【要約】【課題】様々な高さの段差に対応することができ、かつ、段差を緩やかにつなぐ床見切り材を提供すること。【解決手段】第１の面と第２の面との間又は第１の面及び第２の面の境界近傍に配置される床見切り材１であって、上面が開放され長手方向に延びる軸支持部２３を備える縦長の本体部２と、軸支持部２３に回動可能に支持される略円柱状の軸部３３、軸部３３から幅方向外側に延びる第１延出部３１、及び第１延出部３１の幅方向外側の端部から下方に屈曲してさらに幅方向外側に延びる第２延出部３２を有するつば部３と、を備える床見切り材である。【選択図】図１
2015010401.tif 000002
【特許請求の範囲】
【請求項１】
第１の面と第２の面との間又は前記第１の面及び前記第２の面の境界近傍に配置される床見切り材であって、
上面が開放され長手方向に延びる軸支持部を備える縦長の本体部と、
前記軸支持部に回動可能に支持される略円柱状の軸部、該軸部から幅方向外側に延びる第１延出部、及び該第１延出部の幅方向外側の端部から下方に屈曲してさらに幅方向外側に延びる第２延出部を有するつば部と、を備える床見切り材。
【請求項２】
前記軸部の径は、前記第１延出部及び第２延出部の厚さよりも大きい請求項１に記載の床見切り材。
【請求項３】
前記第１延出部の厚さは、前記第２延出部の厚さよりも厚い請求項１又は２に記載の床見切り材。
【請求項４】
前記軸支持部は、前記本体部の幅方向の一方の側部に配置され、
前記本体部の幅方向の他方の側部の上面は、外側に向かって下り傾斜した傾斜面部により構成される請求項１〜３のいずれか１項に記載の床見切り材。
【請求項５】
前記つば部は、前記本体部の幅方向における両側に一対配置されている請求項１又は２に記載の床見切り材。
【請求項６】
前記本体部の下方に配置されて前記本体部を支持する基部をさらに備える請求項１〜５のいずれか１項に記載の床見切り材。
【請求項７】
前記本体部及び前記つば部は、接着剤により固定される請求項１〜６のいずれか１項に記載の床見切り材。
【発明の詳細な説明】
【技術分野】
【０００１】
本発明は、床見切り材に関する。詳しくは、様々な高さの段差に対応することができる床見切り材に関する。
【背景技術】
【０００２】
従来より、床材同士の継ぎ目、床材と扉や窓等を構成する部材との継ぎ目、又はこれらの継ぎ目に形成される段差等を覆うために、これらの継ぎ目や段差に床見切り材を配置することが行われている。例えば、高さの異なる部材が隣り合う場合にも高さを合わせられるように、本体部と、この本体部に対して回動可能に取り付けられたつば部と、を備える床見切り材が開示されている（例えば、特許文献１参照）。
【０００３】
特許文献１で開示された床見切り材によれば、つば部の一方の端部を本体部と回動可能に接続し、つば部の他方の端部を床等の面に載置することで、床等の面の高さに応じて他方の端部の位置を調整することができる。
【先行技術文献】
【特許文献】
【０００４】
【特許文献１】特許第４４１４９７６号公報
【発明の概要】
【発明が解決しようとする課題】
【０００５】
しかしながら、特許文献１で開示された床見切り材では、つば部の上面が平板状に延びているので、つば部の角度によっては、段差を緩やかにつなげない場合があった。
【０００６】
本発明は、様々な高さの段差に対応することができ、かつ、段差を緩やかにつなぐことができる床見切り材を提供することを目的とする。
【課題を解決するための手段】
【０００７】
上記目的を達成するため本発明は、第１の面と第２の面との間又は第１の面及び第２の面の境界近傍に配置される床見切り材（例えば、後述の床見切り材１）であって、上面が開放され長手方向に延びる軸支持部（例えば、後述の軸支持部２３）を備える縦長の本体部（例えば、後述の本体部２）と、軸支持部に回動可能に支持される略円柱状の軸部（例えば、後述の軸部３３）、該軸部から幅方向外側に延びる第１延出部（例えば、後述の第１延出部３１）、及び該第１延出部の幅方向外側の端部から下方に屈曲してさらに幅方向外側に延びる第２延出部（例えば、後述の第２延出部３２）を有するつば部（例えば、後述のつば部３）と、を備える床見切り材を提供する。
【０００８】
本発明では、つば部を、第１延出部と、この第１延出部の幅方向外側の端部から下方に屈曲する第２延出部と、を含んで構成する。これにより、第２延出部が第１延出部の先端から下方に屈曲して延びているので、つば部の角度を種々変更した場合でも、つば部とつば部の先端につながる面とを緩やかにつなぐことができる。よって、様々な高さの段差に対応することができ、かつ、段差を緩やかにつなぐことができる。
【０００９】
上記軸部の径は、上記第１延出部及び上記第２延出部の厚さよりも大きいことが好ましい。
【００１０】
この発明では、軸部の径を、第１延出部及び第２延出部の厚さよりも大きくする。これにより、つば部と本体部との接続部分の強度を保ちつつ、回動可能な床見切り材を実現できる。
【００１１】
上記第１延出部の厚さは、上記第２延出部の厚さよりも厚いことが好ましい。
【００１２】
この発明では、第１延出部の厚さを、第２延出部の厚さよりも厚くする。これにより、上面側からの荷重に対する強度を高めることができる。
【００１３】
上記軸支持部は、上記本体部の幅方向の一方の側部に配置され、上記本体部の幅方向の他方の側部の上面は、外側に向かって下り傾斜した傾斜面部（例えば、後述の傾斜面部２４）により構成されることが好ましい。
【００１４】
この発明では、軸支持部を、本体部の幅方向の一方の側部に配置し、本体部の幅方向の他方の側部の上面を、外側に向かって下り傾斜した傾斜面部により構成する。これにより、高さの異なる面同士を、より緩やかにつなぐことができる。
【００１５】
上記つば部は、上記本体部の幅方向における両側に一対配置されていることが好ましい。
【００１６】
この発明では、つば部を、本体部の幅方向における両側に一対配置する。これにより、隣り合う面と面との間に隙間が形成されている場合でも、高さの異なる面同士を、緩やかにつなぐことができる。
【００１７】
上記本体部の下方に配置されて上記本体部を支持する基部（例えば、後述の基部４）をさらに備えることが好ましい。
【００１８】
この発明では、本体部の下方に配置されて本体部を支持する基部を設ける。これにより、基部を床材等の設置面に設置して、基部の上に本体部を取り付けることができる。このため、床材が床見切り材より前に設置されている場合でも、床材を加工せずに床見切り材を施工することができる。
【００１９】
上記本体部及び上記つば部は、接着剤により固定されることが好ましい。
【００２０】
この発明では、本体部及びつば部を、接着剤により固定する。これにより、つば部が撓んでつば部と床材等の部材との間に隙間が形成されても、撓みを押さえて隙間を埋めた状態で、つば部を接着して固定することができる。
【発明の効果】
【００２１】
本発明によれば、様々な段差に対応することができ、かつ、段差を緩やかにつなぐことができる床見切り材を提供することができる。
【図面の簡単な説明】
【００２２】
【図１】本発明の第１実施形態に係る床見切り材の斜視図である。
【図２】図１の床見切り材の分解斜視図である。（ａ）図は本体部を、（ｂ）図は基部を示す。
【図３】第１実施形態に係る床見切り材の使用の状態を示す図である。
【図４】第１実施形態に係る床見切り材の使用の状態を示す図である。
【図５】第１実施形態に係る床見切り材の使用の状態を示す図である。
【図６】第１実施形態に係る床見切り材の使用の状態を示す図である。
【図７】本発明の第２実施形態に係る床見切り材の斜視図である。
【図８】第２実施形態に係る床見切り材の使用の状態を示す図である。
【図９】第２実施形態に係る床見切り材の使用の状態を示す図である。
【図１０】本発明の変形例に係る床見切り材を示す概略図である。
【発明を実施するための形態】
【００２３】
以下、本発明の実施形態について、図面を参照しながら詳しく説明する。
図１は第１実施形態に係る床見切り材１の斜視図である。
床見切り材１は、異なる高さで隣接する部材の境界近傍、例えば、床と窓の下枠、床と框等のように、高さの異なる２つの面である第１の面及び第２の面の境界の近傍の段差部分に配置される。
【００２４】
床見切り材１は、本体部２と、つば部３と、基部４と、を有する。床見切り材１は、縦長の形状を有する。床見切り材１は、合成樹脂で形成されている。
【００２５】
図２（ａ）は、本体部２の斜視図である。図２（ａ）に示すように、本体部２は、平面部２１と、設置面部２２と、軸支持部２３と、傾斜面部２４と、嵌合部２５とを有する。本体部２は、縦長の部材である。本体部２は、床等の平坦な設置面に設置される。
【００２６】
平面部２１は、本体部２における上側の幅方向略中央に位置し、長手方向に延びる平坦な面である。
【００２７】
軸支持部２３は、本体部２の幅方向の一方の側部に形成される。軸支持部２３は、円柱状の軸を支持可能なように、円弧状に湾曲する面を有し、上面が開放されている。
【００２８】
傾斜面部２４は、本体部２の幅方向の他方の側部に形成される。傾斜面部２４は、平面部２１の他方側の側縁から外側に向かって下り傾斜している。傾斜面部２４は、最も下方の端部が設置面部２２と同じ高さに位置している。傾斜面部２４の下端は、本体部２の内側に向かって屈曲して設置面に当接している。
【００２９】
以上の平面部２１、軸支持部２３、傾斜面部２４は、本体部における上面を構成する。また、設置面部２２は、軸支持部２３の下方に位置する面と、傾斜面部２４の下端から内側に屈曲した面により構成され、本体部２の幅方向両側の下方で設置面に当接している。
【００３０】
嵌合部２５は、本体部２の下方に形成されている。具体的には、嵌合部２５は、傾斜面部２４の下側で、両設置面部２２の間に位置している。嵌合部２５は、平面部２１に対して平行に延びるように形成される中段部２５１から下方に向かって突出する一対の突起２５２により形成されている。嵌合部２５は、その下端部が設置面に届かない長さ突出するように形成されている。図２（ａ）に示すように、嵌合部２５の突起２５２には、外面に、本体部２の長手方向に沿って延びる溝２７が形成されている。
【００３１】
つば部３は、軸部３３と、第１延出部３１と、第２延出部３２と、を有する。つば部３は、本体部２に沿って延びる縦長の部材である。
【００３２】
軸部３３は、略円柱状であり、軸支持部２３の円弧状の面を摺動して回動可能な寸法に形成される。軸部３３は、軸支持部２３に嵌合されている。
【００３３】
第１延出部３１は、軸部３３における本体部２の幅方向外側の端部からさらに幅方向外方へ向かって延出する。第１延出部３１は、その上面３１ａが軸部３３の外面から平坦に形成されている。第１延出部３１の厚さは、軸部３３側から外側に向かうに従って徐々に薄くなるように形成されている。
【００３４】
第２延出部３２は、第１延出部３１の幅方向外側の端部から、軸部３３が軸支持部２３に支持された状態で、下方に屈曲して延出する。第２延出部３２は、第１延出部３１よりも薄く形成されており、第１延出部３１及び第２延出部３２は、軸部３３の径よりも厚さが小さくなるように形成されている。第２延出部３２は、第１延出部３１に対し屈曲している。第２延出部３２は、その上面３２ａの幅方向の最も外側の端部でさらに下方に屈曲し、先端に向かって徐々に厚さが薄くなるように面取りされている。
【００３５】
以上のつば部３は、軸部３３、第１延出部３１及び第２延出部３２が一体となって形成されている。つば部３は、軸部３３が本体部２の軸支持部２３に支持されて回動することにより、図１における矢印Ａ方向に回動する。なお、第２延出部３２は、軸部３３の回動により、先端側で設置面から６ｍｍ以上１２ｍｍ以下の範囲上下に動くことができる。
【００３６】
図２（ｂ）は、基部４の斜視図である。図２（ｂ）に示すように、基部４は、底面部４１と、側壁部４２と、溝４４と、を有する。基部４は、本体部２の下方に配置されて本体部２を支持する縦長の部材である。基部４は、断面視で凹状に形成されている。
【００３７】
底面部４１は、平坦な面で構成され、設置面に接するように配置される。底面部４１には、ねじ孔４３が形成されている、底面部４１は、設置面に位置決めされてねじ４５（図３等参照）により取り付けられる。
【００３８】
側壁部４２は、底面部４１の幅方向外側における両端部からそれぞれ起立して一対形成されている。側壁部４２は、向かい合う側壁部４２同士の間に、本体部２における嵌合部２５が嵌まるような間隔を空けて形成されている。
【００３９】
溝４４は、向かい合う一対の側壁部４２の内側の面に形成されている。溝４４は、嵌合部２５の突起２５２における外面に形成された溝２７と対応し、噛み合うように形成されている。
【００４０】
次に、図３〜図６を参照して、第１実施形態に係る床見切り材１の使用の状態について説明する。
図３は、第１実施形態に係る床見切り材１を、床材５１と玄関の上框６１との間に設置した図を示す。設置の際には、床見切り材１を、長手方向が第１の面及び第２の面の境界に沿うように配置する。詳細には、つば部３の第２延出部３２が上框６１の縁を覆うように本体部２を位置決めするとともに、本体部２の嵌合部２５と噛み合う位置に基部４を位置決めする。そして、基部４のねじ孔４３にねじ４５を通して、基部４を床材５１に固定する。
【００４１】
次に、嵌合部２５における突起２５２の外面又は基部４の側壁部４２の内面に接着剤を塗布して、嵌合部２５を側壁部４２の間に嵌合させ、固定する。
【００４２】
床材５１と上框６１との段差が大きい場合、軸部３３を上方へ回動させて第２延出部３２の先端部を上框６１に載せる。この際、第２延出部３２の先端は、高さＨ１まで移動できる。高さＨ１は、１２ｍｍである。第２延出部３２が載置される面が、設置面から１２ｍｍ程度の場合、本体部２の平面部２１と第１延出部３１とがほぼ同じ高さでつながる。床材５１と上框６１との間の大きな段差は、本体部２の傾斜面部２４から平面部２１、第１延出部３１へつながり、第１延出部３１から下方に屈曲する第２延出部３２により上框６１の上面につながる。このため、床材５１と上框６１の間の段差が緩やかになる。
【００４３】
なお、上框６１と第２延出部３２との間に、つば部３が撓むことなどで隙間が形成される場合には、撓みを押さえて隙間を塞ぎ、軸部３３と軸支持部２３との間に接着剤を塗布して固定することができる。
【００４４】
図４は、第１実施形態に係る床見切り材１を、床材５１と扉の下枠６２との間に設置した図を示す。床見切り材１の設置の手順は、図３について説明した場合と同様である。この際、第２延出部３２の先端は、Ｈ２の高さまで移動できる。Ｈ２は、６ｍｍである。床材５１と下枠６２との間の段差が大きくない場合でも、軸部３３を下方に回動させることで、床材５１と下枠６２との間の垂直な段差を、図３の場合と同様に、傾斜面部２４、平面部２１、第１延出部３１及び第２延出部３２により、緩やかにすることができる。
【００４５】
図５は、第１実施形態に係る床見切り材１を、床材５１とサッシのアングルピース６３との間に設置した図を示す。床見切り材１の設置の手順は、図３について説明した場合と同様である。床材５１とアングルピース６３との間に大きな隙間が形成されている場合でも、床材５１とアングルピース６３との隙間を塞ぐとともに、床材５１とアングルピース６４の上面との段差を、図３の場合と同様に、傾斜面部２４、平面部２１、第１延出部３１及び第２延出部３２により、緩やかにすることができる。
【００４６】
図６は、第１実施形態に係る床見切り材１を、床材５１とサッシのアングルピース６４との間に配置された下地材５２の上に設置した図を示す。床見切り材１の設置の手順は、図３について説明した場合と同様である。床材５１とサッシのアングルピース６４の間に隙間が形成され、下地材５２が見えている場合でも、床材５１と下地材５２との段差を、図３の場合と同様に、傾斜面部２４、平面部２１、第１延出部３１及び第２延出部３２により緩やかにするとともに、アングルピース６４につなぐことができる。
【００４７】
以上の構成を備える第１実施形態に係る床見切り材１によれば、以下の効果が奏される。
本実施形態では、床見切り材１を、例えば床材５１及び上框６１、扉の下枠６２、サッシのアングルピース６３、６４等の第１の面と第２の面の境界近傍に配置した。そして、床見切り材１を上面が開放され長手方向に延びる軸支持部２３を備える縦長の本体部２と、軸支持部２３に回動可能に支持される略円柱状の軸部３３、軸部３３から幅方向外側に延びる第１延出部３１、及び第１延出部３１の幅方向外側の端部から下方に屈曲してさらに幅方向外側に延びる第２延出部３２を有するつば部３と、を含んで構成した。
【００４８】
これにより、第２延出部が第１延出部の先端から下方に屈曲して延びているので、つば部３の角度を種々変更した場合でも、つば部３とつば部３の先端につながる面とを緩やかにつなぐことができる。よって、様々な高さの段差に対応することができ、かつ、段差を緩やかにつなぐことができる。また、段差を緩やかに連続させることができるため、室内での躓き、転倒の危険性を軽減することができる。さらに、様々な高さの段差に対応することができるため、住居等の一棟内の様々な箇所に用いることで、統一的な外観を形成することができる。
【００４９】
また本実施形態では、軸部３３の径を、第１延出部３１及び第２延出部３２の厚さよりも大きく構成した。
これにより、つば部３と本体部２との接続部分の強度を保ちつつ、回動可能な床見切り材を実現できる。
【００５０】
また本実形態では、第１延出部３１の厚さを、第２延出部３２の厚さよりも厚く構成した。
これにより、上面側からの荷重に対する強度を高めることができる。
【００５１】
また本実形態では、軸支持部２３を、本体部２の幅方向の一方の側部に配置し、本体部２の幅方向の他方の側部の上面を、外側に向かって下り傾斜した傾斜面部２４により構成した。
これにより、高さの異なる面同士を、より緩やかにつなぐことができる。
【００５２】
また本実施形態では、床見切り材１を、本体部２の下方に配置されて本体部２を支持する基部４をさらに含んで構成した。
これにより、基部４を床材５１等の設置面に設置して、基部４の上に本体部２を取り付けることができるため、床材５１が床見切り材１より前に設置されている場合でも、床材５１を加工せずに床見切り材１を施工することができる。
【００５３】
また本実施形態では、本体部２及びつば部３を、接着剤により固定した。
これにより、つば部３が撓んでつば部３と床材５１等の部材との間に隙間が形成されても、撓みを押さえて隙間を埋めた状態で、つば部３を接着して固定することができる。
【００５４】
次に、図７〜図９を参照して、第２実施形態に係る床見切り材１Ａについて説明する。図７は、第２実施形態に係る床見切り材１Ａの斜視図である。
第２実施形態に係る床見切り材１Ａは、つば部３Ａが本体部２Ａの幅方向における両側に一対配置されている点で第１実施形態の床見切り材１と異なる。なお、第２実施形態の説明において、特に説明されない点は、第１実施形態と同様である。
【００５５】
本体部２Ａは、一対の軸支持部２３Ａと、一対の軸部３３Ａと、本体中央部２６と、一対の脚部２９と、嵌合部２５Ａと、を有する。
本体中央部２６は、本体部２Ａの幅方向における略中央に配置されている。本体中央部２６の上面は、本体部２Ａの平面部２１Ａを構成している。
一対の軸支持部２３Ａは、本体中央部２６を挟んで本体部２Ａの幅方向両側に、略対称に設けられている。
一対の脚部２９は、軸支持部２３Ａから連続して下方に延び、設置面に当接する。脚部２９は、本体中央部２６を挟んで対称に配置されている。脚部２９の裏面は、本体部２Ａの設置面部２２Ａを構成している。
嵌合部２５Ａは、一対の軸支持部２３Ａの下面から下方に延びている。
【００５６】
つば部３Ａは、一対の第１延出部３１Ａと、一対の第２延出部３２Ａと、を有する。
第１延出部３１Ａは、第１実施形態における第１延出部３１と比べて、幅広に形成されている。また、第１延出部３１Ａは、同じ厚さで形成されている。
【００５７】
第２延出部３２Ａは、図７に示すように、その上面３２ａはなだらかな曲線に形成され、下面３２ｂは第１延出部３１Ａから下方に屈曲して平坦に延びている。
第２実施形態では、一対のつば部３Ａは、図７に示す矢印Ｂ方向に回動可能に本体部２Ａに取り付けられる。
第２延出部３２Ａは、第１実施形態の場合と同様に、軸部３３Ａの回動により、先端側で設置面から６ｍｍ以上１２ｍｍ以下の範囲上下に動くことができる。
【００５８】
次に、図８及び図９を参照して、第２実施形態に係る床見切り材１Ａの使用の状態について説明する。
図８は、第２実施形態に係る床見切り材１Ａを、床材５１と扉の下枠６２の間に形成された隙間において、床材５１の下から下枠６２まで延出している下地材５２の上に設置した図を示す。第２実施形態では、床見切り材１Ａを、隣り合う第１の面と第２の面との間の隙間に配置する点で第１実施形態と異なる。
【００５９】
第２実施形態では、基部４を床材５１と下枠６２との間に配置して、床材５１の下から延出している下地材５２の上に固定する。図８に示す例の場合、設置面（下地材５２の上面）から床材５１までの高さＨ１は１２ｍｍであり、設置面から下枠６２の上面までの高さＨ２は６ｍｍである。
【００６０】
隣り合う床材５１と下枠６２との間に隙間があっても、間に床見切り材１Ａを配置して一対のつば部３Ａを渡すことにより、床材５１と下枠６２とがつながる。具体的には、一対の軸部３３Ａがそれぞれ回動することにより、一方の第１延出部３１Ａが床材５１の方へ延び、第２延出部３２Ａが第１延出部３１Ａから下方へ屈曲して、第２延出部３２Ａの先端が床材５１の上面に載置される。また、他方の第１延出部３１Ａが下枠６２の方へ延び、第２延出部３２Ａが第１延出部３１Ａから下方へ屈曲して、第２延出部３２Ａの先端が下枠６２の上面に載置される。このため、一対の第１延出部３１Ａを間に挟んで床材５１に載置される一方の第２延出部３２Ａから下枠６２の上面に載置される他方の第２延出部３２Ａまでが緩やかにつながる。
【００６１】
図９は、第２実施形態に係る床見切り材１Ａを、互いに厚さの異なる床材５１、５３の間の隙間に設置した図を示す。図９では、基部４が、高さを調整する調整部材７の上に設置されている。調整部材７は、本体部２Ａの幅及び長さと同等の形状に形成され、所望の厚さのものが用いられる。
【００６２】
図９では、隣接する一方の床材５１は、厚さ１２ｍｍであり、他方の床材５３は、厚さ１５ｍｍである。この場合、第２延出部３２Ａの先端部の可動範囲は上下方向に６ｍｍ〜１２ｍｍであるため、そのままでは厚さ１５ｍｍの床材５３の上面に届かない。そこで、床材５１と床材５３との間の隙間に、厚さ３ｍｍの調整部材７を設置する。そして、調整部材７の上に基部４を取り付けることで、床材５１、５３それぞれの上面と設置面からの距離は９ｍｍ〜１２ｍｍとなり、一対の第２延出部３２Ａが床材５１、５３の上面に載置される。
【００６３】
以上の構成を備える第２実施形態に係る床見切り材１Ａによれば、以下の効果が奏される。
本実施形態では、つば部３Ａを、本体部２Ａの幅方向における両側に一対配置した。
これにより、隣り合う面と面との間に隙間が形成されている場合でも、高さの異なる面同士を、緩やかにつなぐことができる。
【００６４】
なお、本発明は上記実施形態に限定されるものではなく、本発明の目的を達成できる範囲での変形、改良等は本発明に含まれる。
図１０は、本発明の変形例に係る床見切り材１Ｂを示す。変形例に係る床見切り材１Ｂでは、第１実施形態と比較して、本体部２Ｂの高さが第１実施形態における本体部２よりも低く形成される。つば部３Ｂは、第２実施形態のつば部３Ａにおける軸部３３Ａ、第１延出部３１Ａ、第２延出部３２Ａと同様の構成を有して形成される。また、傾斜面部２４Ｂは、第１実施形態における傾斜面部２４よりも狭いとともに、平面部２１Ｂは、第１実施形態における平面部２１よりも広い。
【００６５】
以上の床見切り材１Ｂは、より小さな段差の第１の面及び第２の面の境界近傍に配置される。床見切り材１Ｂの高さが低く、平面部２１Ｂが広く、傾斜面部２４Ｂが狭くなっているため、より小さな段差を緩やかに連続させることができるようになる。また、第１の面と第２の面との間の隙間の幅が広い場合にも対応することができる。
【符号の説明】
【００６６】
１  床見切り材
２、２Ａ  本体部
３、３Ａ  つば部
４  基部
２３  軸支持部
２４  傾斜面部
３１  第１延出部
３２  第２延出部
３３  軸部
【図１】
2015010401.tif 000003
【図２】
2015010401.tif 000004
【図３】
2015010401.tif 000005
【図４】
2015010401.tif 000006
【図５】
2015010401.tif 000007
【図６】
2015010401.tif 000008
【図７】
2015010401.tif 000009
【図８】
2015010401.tif 000010
【図９】
2015010401.tif 000011
【図１０】
2015010401.tif 000012